(57)【要約】【課題】送信機（例えば移動機）から複数の受信機（例えば無線基地局）に受信された同一の無線パケット信号を重複せず、かつ欠落することなく出力する。【解決手段】１つの送信機から送信され、複数の受信機の少なくとも１つに受信される所定の識別番号を有する無線パケット信号を入力し、同一の識別番号を有する無線パケット信号の１つを選択して出力する出力制御部と、出力制御部に入力する無線パケット信号の識別番号を記録する記録部と、出力制御部に入力する無線パケット信号の識別番号を蓄積する蓄積部とを備え、出力制御部は、入力する無線パケット信号の識別番号が記録部に記録されていなければ、その無線パケット信号を蓄積部に蓄積するとともにその識別番号を記録部に記録し、入力する無線パケット信号の識別番号が記録部に記録されていれば、蓄積部に蓄積されているすべての無線パケット信号を出力する構成である。【選択図】        図３
2004254014.tif 000002
【特許請求の範囲】
【請求項１】
１つの送信機から送信され、複数の受信機の少なくとも１つに受信される所定の識別番号を有する無線パケット信号を入力し、同一の識別番号を有する無線パケット信号の１つを選択して出力する出力制御部と、
前記出力制御部に入力する無線パケット信号の識別番号を記録する記録部とを備え、
前記出力制御部は、入力する無線パケット信号の識別番号が前記記録部に記録されていなければ、その無線パケット信号を出力するとともにその識別番号を前記記録部に記録し、入力する無線パケット信号の識別番号が前記記録部に記録されていれば、その無線パケット信号を廃棄する構成である
ことを特徴とするパケット選択出力装置。
【請求項２】
１つの送信機から送信され、複数の受信機の少なくとも１つに受信される所定の識別番号を有する無線パケット信号を入力し、同一の識別番号を有する無線パケット信号の１つを選択して出力する出力制御部と、
前記出力制御部に入力する無線パケット信号の識別番号を記録する記録部と、
前記出力制御部に入力する無線パケット信号の識別番号を蓄積する蓄積部とを備え、
前記出力制御部は、入力する無線パケット信号の識別番号が前記記録部に記録されていなければ、その無線パケット信号を前記蓄積部に蓄積するとともにその識別番号を前記記録部に記録し、入力する無線パケット信号の識別番号が前記記録部に記録されていれば、前記蓄積部に蓄積されているすべての無線パケット信号を出力する構成である
ことを特徴とするパケット選択出力装置。
【請求項３】
請求項２に記載のパケット選択出力装置において、
前記無線パケット信号の識別番号が、前記送信機から送信されるときに送信順に付与された番号であり、
前記出力制御部は、前記蓄積部に蓄積されている複数の無線パケット信号を出力するときに、前記無線パケット信号の識別番号順（送信順）に出力する構成である
ことを特徴とするパケット選択出力装置。
【請求項４】
請求項２に記載のパケット選択出力装置において、
前記出力制御部は、前記蓄積部に蓄積されている複数の無線パケット信号を出力するときに、前記出力制御部への入力順（前記蓄積部の蓄積時間の長い順）に出力する構成である
ことを特徴とするパケット選択出力装置。
【請求項５】
請求項４に記載のパケット選択出力装置において、
前記出力制御部は、前記蓄積部に蓄積されている複数の無線パケット信号を出力するときに、前記出力制御部への入力順（前記蓄積部の蓄積時間の長い順）かつ入力時間間隔で出力する構成である
ことを特徴とするパケット選択出力装置。
【請求項６】
請求項２に記載のパケット選択出力装置において、
前記出力制御部は、前記蓄積部に蓄積されている無線パケット信号が出力されずに所定の蓄積時間を経過したときに出力するとともにその識別番号を記録し、後に同じ識別番号の無線パケット信号が入力されたときに廃棄する構成である
ことを特徴とするパケット選択出力装置。
【請求項７】
請求項２に記載のパケット選択出力装置において、
前記出力制御部は、前記蓄積部に蓄積されている無線パケット信号が出力されず、所定の蓄積量に達したときに、前記蓄積部に蓄積されているすべての無線パケット信号を出力するとともにその識別番号を記録し、後に同じ識別番号の無線パケット信号が入力されたときに廃棄する構成である
ことを特徴とするパケット選択出力装置。
【請求項８】
請求項２に記載のパケット選択出力装置において、
前記出力制御部は、前記蓄積部に蓄積されている無線パケット信号を出力するときに、所定の出力時間間隔になるように出力する構成である
ことを特徴とするパケット選択出力装置。
【請求項９】
請求項２に記載のパケット選択出力装置において、
前記出力制御部は、前記蓄積部に蓄積されている無線パケット信号を出力するときに、所定の出力速度になるように出力する構成である
ことを特徴とするパケット選択出力装置。
【請求項１０】
請求項９に記載のパケット選択出力装置において、
前記出力制御部は、入力時間間隔または所定の出力時間間隔の小さい方の時間間隔で出力しようとしたときに、所定の出力速度で出力できる場合にはその小さい方の時間間隔で出力し、入力時間間隔または所定の出力時間間隔の小さい方の時間間隔で出力しようとしたときに、所定の出力速度で出力できない場合にはその出力速度で出力する構成である
ことを特徴とするパケット選択出力装置。
【請求項１１】
請求項１〜請求項１０に記載のパケット選択出力装置を多段に接続し、前段のパケット選択出力装置の出力ポートと後段のパケット選択出力装置の１つの入力ポートを接続し、前段のパケット選択出力装置で選択出力された無線パケット信号と、後段のパケット選択出力装置の他の入力ポートに入力される無線パケット信号との選択を行う構成である
ことを特徴とするパケット選択出力装置。
【請求項１２】
請求項１〜請求項１０に記載のパケット選択出力装置と、
入力する無線パケット信号を複数に複製する複製部とを備え、
複数の入力ポートに入力する無線パケット信号を前記パケット選択出力装置に入力し、前記パケット選択出力装置から出力される無線パケット信号を出力ポートに出力するとともに、前記出力ポートから入力する無線パケット信号を前記複製部に入力し、前記複製部で複製された無線パケット信号を前記複数の入力ポートから出力する構成である
ことを特徴とするパケット選択出力装置。
【発明の詳細な説明】
【０００１】
【発明の属する技術分野】
本発明は、無線ＬＡＮシステムや移動体通信システムにおいて、送信機（例えば移動機）から送信された無線パケット信号を複数の受信機（例えば無線基地局）で受信し、それぞれに受信された同一の無線パケット信号の１つを選択して出力するパケット選択出力装置に関する。
【０００２】
【従来の技術】
移動通信における電波は、建物、樹木、地形の起伏などの障害物や反射物の影響により、受信状態が激しく変化する。このような状況において高品質かつ高信頼の通信を保つための方法として、ダイバーシティ受信技術がある。
【０００３】
ダイバーシティ受信技術は、複数のアンテナを用いて電波を受信し、障害物があっても少なくとも１つのアンテナが受信可能であれば、通信品質の劣化を防止できる技術である。一般的には、複数のアンテナの受信品質（例えば受信レベル）に応じて１つのアンテナを選択する方法や、複数のアンテナの受信信号を合成（等利得合成、最大比合成）する方法がある。なお、前者の選択ダイバーシティは検波後、後者の合成ダイバーシティは検波前に行われる。
【０００４】
また、複数の無線基地局の受信信号に対して選択ダイバーシティと同様のことを行う構成として、特許文献１に記載のパケット選択出力装置が提案されている。
【０００５】
図１３は、特許文献１に記載の従来のパケット選択出力装置の構成例を示す。図において、移動機５１から送信された無線パケット信号は、無線基地局５２−１，５２−２にそれぞれ受信される。無線基地局５２−１，５２−２に受信された無線パケット信号は、パケット選択出力装置５３の信号記憶部５４−１，５４−２にそれぞれ記憶される。ここで、各無線基地局５２−１，５２−２では、移動機５１から受信した無線パケット信号に、受信状態を示す信号対雑音比または信号品質などの判定情報を付加する。パケット選択出力装置５３の判定器５５は、この判定情報に基づいて信号記憶部５４−１，５４−２に記憶されている同一の無線パケット信号の一方を選択出力し、他方を消去する。
【０００６】
【特許文献１】
特開平９−１７２４６１号公報
【０００７】
【発明が解決しようとする課題】
ところで、特許文献１のパケット選択出力装置でダイバーシティ効果を得るためには、各無線基地局で信号受信時の信号対雑音比などの判定情報を付加する必要があり、無線基地局の改造が必要になる。
【０００８】
また、特許文献１のパケット選択出力装置では、移動機から送信された無線パケット信号が複数の無線基地局に順次受信され、判定情報を比較する構成を前提としている。しかし、実際の移動通信では、複数の無線基地局に同一の無線パケット信号が受信されるタイミングは一定ではなく、また一部の無線基地局には受信されないなど、単純に判定情報を比較できる状況にない。
【０００９】
本発明は、送信機（例えば移動機）から複数の受信機（例えば無線基地局）に受信された同一の無線パケット信号を重複せず、かつ欠落することなく出力することができるパケット選択出力装置を提供することを目的とする。
【００１０】
【課題を解決するための手段】
請求項１に記載のパケット選択出力装置は、１つの送信機から送信され、複数の受信機の少なくとも１つに受信される所定の識別番号を有する無線パケット信号を入力し、同一の識別番号を有する無線パケット信号の１つを選択して出力する出力制御部と、出力制御部に入力する無線パケット信号の識別番号を記録する記録部とを備え、出力制御部は、入力する無線パケット信号の識別番号が記録部に記録されていなければ、その無線パケット信号を出力するとともにその識別番号を記録部に記録し、入力する無線パケット信号の識別番号が記録部に記録されていれば、その無線パケット信号を廃棄する構成である。
【００１１】
これにより、出力された無線パケット信号と同一の識別番号を有する無線パケット信号が重複して出力されないようにするとともに、複数の受信機の少なくとも１つに受信されていれば、それを出力することにより欠落を回避することができる。
【００１２】
請求項２に記載のパケット選択出力装置は、１つの送信機から送信され、複数の受信機の少なくとも１つに受信される所定の識別番号を有する無線パケット信号を入力し、同一の識別番号を有する無線パケット信号の１つを選択して出力する出力制御部と、出力制御部に入力する無線パケット信号の識別番号を記録する記録部と、出力制御部に入力する無線パケット信号の識別番号を蓄積する蓄積部とを備え、出力制御部は、入力する無線パケット信号の識別番号が記録部に記録されていなければ、その無線パケット信号を蓄積部に蓄積するとともにその識別番号を記録部に記録し、入力する無線パケット信号の識別番号が記録部に記録されていれば、蓄積部に蓄積されているすべての無線パケット信号を出力する構成である。
【００１３】
これにより、蓄積された無線パケット信号と同一の識別番号を有する無線パケット信号が重複して出力されないようにできるとともに、欠落を回避することができる。
【００１４】
この請求項２に記載のパケット選択出力装置において、無線パケット信号の識別番号が、送信機から送信されるときに送信順に付与された番号であり、出力制御部は、蓄積部に蓄積されている複数の無線パケット信号を出力するときに、無線パケット信号の識別番号順（送信順）に出力する構成としてもよい（請求項３）。
【００１５】
また、出力制御部は、蓄積部に蓄積されている複数の無線パケット信号を出力するときに、出力制御部への入力順（蓄積部の蓄積時間の長い順）に出力する構成としてもよい（請求項４）。このとき、出力制御部への入力順（蓄積部の蓄積時間の長い順）かつ入力時間間隔で出力する構成としてもよい（請求項５）。
【００１６】
また、出力制御部は、蓄積部に蓄積されている無線パケット信号が出力されずに所定の蓄積時間を経過したときに出力するとともにその識別番号を記録し、後に同じ識別番号の無線パケット信号が入力されたときに廃棄する構成としてもよい（請求項６）。
【００１７】
また、出力制御部は、蓄積部に蓄積されている無線パケット信号が出力されず、所定の蓄積量に達したときに、蓄積部に蓄積されているすべての無線パケット信号を出力するとともにその識別番号を記録し、後に同じ識別番号の無線パケット信号が入力されたときに廃棄する構成としてもよい（請求項７）。
【００１８】
また、出力制御部は、蓄積部に蓄積されている無線パケット信号を出力するときに、所定の出力時間間隔になるように出力する構成としてもよい（請求項８）。
【００１９】
また、出力制御部は、蓄積部に蓄積されている無線パケット信号を出力するときに、所定の出力速度になるように出力する構成としてもよい（請求項９）。さらに、出力制御部は、入力時間間隔または所定の出力時間間隔の小さい方の時間間隔で出力しようとしたときに、所定の出力速度で出力できる場合にはその小さい方の時間間隔で出力し、入力時間間隔または所定の出力時間間隔の小さい方の時間間隔で出力しようとしたときに、所定の出力速度で出力できない場合にはその出力速度で出力する構成としてもよい（請求項１０）。
【００２０】
請求項１１に記載のパケット選択出力装置は、請求項１〜請求項１０に記載のパケット選択出力装置を多段に接続し、前段のパケット選択出力装置の出力ポートと後段のパケット選択出力装置の１つの入力ポートを接続し、前段のパケット選択出力装置で選択出力された無線パケット信号と、後段のパケット選択出力装置の他の入力ポートに入力される無線パケット信号との選択を行う構成である。
【００２１】
請求項１２に記載のパケット選択出力装置は、請求項１〜請求項１０に記載のパケット選択出力装置と、入力する無線パケット信号を複数に複製する複製部とを備え、複数の入力ポートに入力する無線パケット信号をパケット選択出力装置に入力し、パケット選択出力装置から出力される無線パケット信号を出力ポートに出力するとともに、出力ポートから入力する無線パケット信号を複製部に入力し、複製部で複製された無線パケット信号を複数の入力ポートから出力する構成である。
【００２２】
【発明の実施の形態】
（第１の実施形態）
図１は、本発明の第１の実施形態の構成例を示す。図において、パケット選択出力装置１０は、入力ポートＩＮ１，ＩＮ２と出力ポートＯＵＴとの間に接続された出力制御部１１と、出力制御部１１に接続された記録部１２から構成される。
【００２３】
入力ポートＩＮ１，ＩＮ２には、例えば図１３に示す無線基地局５２−１，５２−２が接続され、それぞれに受信された送信元ＩＰアドレスが同一の無線パケット信号が入力されるものとする。また、各無線パケット信号には、送信元ＩＰアドレスの他に、それぞれを特定できる識別番号が記録されているものとする。この識別番号は、図１３に示す移動機５１から送信する無線パケット信号に記録されるシーケンス番号を用いるか、図１４に示す記録装置６２で無線パケット信号の送信の際に記録される識別番号を用いてもよい。
【００２４】
図１４に示すシステム構成は、端末装置６１から送信された無線パケット信号に記録装置６２で識別番号を付与して送信アンテナ６３から通信衛星６４に送信する。通信衛星６４で中継された無線パケット信号は、第１の受信アンテナ６５−１および受信機６６−１と、第２の受信アンテナ６５−２および受信機６６−２でそれぞれ受信され、本発明のパケット選択出力装置１０の２つの入力ポートＩＮ１，ＩＮ２に入力される。
【００２５】
図２は、第１の実施形態の動作例を示す。図において、１ｓ〜１０ｓは時刻１秒〜１０秒を示すが、単位「秒」は実時間の単位ではなく便宜的なものである（以下同様）。１〜５は無線パケット信号の識別番号を示し、無線パケット１〜無線パケット５と表記する。ここでの識別番号は送信順に対応して昇順になっているが、降順でもよく、あるいは送信順とは無関係であってもよい。入力ポートＩＮ１，ＩＮ２に入力する無線パケット信号と、出力ポートＯＵＴから出力する無線パケット信号のタイムラグは無視している。
【００２６】
時刻１秒で入力ポートＩＮ１に無線パケット１が入力されると、識別番号１が記録部１２に記録されていないので、識別番号１を記録部１２に記録するとともに、無線パケット１を出力ポートＯＵＴから出力する。時刻２秒で入力ポートＩＮ２に無線パケット１が入力されると、識別番号１が記録部１２にすでに記録されているので、無線パケット１は廃棄される。以下同様に、無線パケット２，３，４，５についても最初に入力された無線パケットが出力され、後から入力された無線パケットが廃棄される。
【００２７】
本実施形態では、無線パケット信号の識別番号は、入力ポートＩＮ１，ＩＮ２から入力され出力ポートＯＵＴに出力された無線パケット信号の出力履歴を確認するものであり、出力された無線パケット信号と同一の識別番号を有する無線パケット信号が重複して出力されないようにしている。また、例えば入力ポートＩＮ１に入力される無線パケット信号に欠落が生じても、他方の入力ポートＩＮ２にその識別番号を有する無線パケット信号が入力されれば、その時点で出力ポートＯＵＴに出力させ、欠落を回避することができる。
【００２８】
（第２の実施形態）
図３は、本発明の第２の実施形態の構成例を示す。図において、パケット選択出力装置２０は、入力ポートＩＮ１，ＩＮ２と出力ポートＯＵＴとの間に接続された出力制御部２１と、出力制御部２１に接続された記録部２２および蓄積部２３から構成される。
【００２９】
入力ポートＩＮ１，ＩＮ２には、第１の実施形態と同様に送信元ＩＰアドレスが同一の無線パケット信号が入力されるものとする。また、各無線パケット信号には、送信元ＩＰアドレスの他に、それぞれを特定できる識別番号が記録されているものとする。この識別番号は、図１３に示す移動機５１から送信する無線パケット信号に記録されるシーケンス番号を用いるか、図１４に示す記録装置６２で無線パケット信号の送信の際に記録される識別番号を用いてもよい。
【００３０】
図４は、第２の実施形態の動作例を示す。図において、１ｓ〜１４ｓは時刻１秒〜１４秒を示す。１〜５は無線パケット信号の識別番号を示し、無線パケット１〜無線パケット５と表記する。ここでの識別番号は送信順に対応して昇順になっているが、降順でもよく、あるいは送信順とは無関係であってもよい。
【００３１】
時刻１秒で入力ポートＩＮ１に無線パケット１が入力されると、識別番号１が記録部２２に記録されていないので、識別番号１を記録部２２に記録するとともにその無線パケット１を蓄積部２３に蓄積する。時刻２秒で入力ポートＩＮ２に無線パケット１が入力されると、識別番号１が記録部２２にすでに記録されているので、蓄積部２３に蓄積されている無線パケット１を出力ポートＯＵＴから出力する。あるいは、入力ポートＩＮ２に入力された無線パケット１を出力し、蓄積部２３に蓄積されている無線パケット１を廃棄してもよい（以下の実施形態でも同様）。
【００３２】
次に、時刻３秒で入力ポートＩＮ２に入力される無線パケット２も同様に記録および蓄積され、時刻４秒で入力ポートＩＮ１に無線パケット２が入力されると、蓄積部２３に蓄積されている無線パケット５を出力ポートＯＵＴから出力する。
【００３３】
時刻５秒で入力ポートＩＮ１に入力される無線パケット３、時刻７秒で入力ポートＩＮ２に入力される無線パケット５、時刻８秒で入力ポートＩＮ１に入力される無線パケット４についても同様に、それぞれ入力された時点で記録および蓄積される。次に、時刻１０秒で入力ポートＩＮ１に無線パケット５が入力されると、識別番号５が記録部２２にすでに記録されているので、蓄積部２３に蓄積されている無線パケット５を出力ポートＯＵＴから出力するが、このとき、蓄積部２３に蓄積されている他の無線パケット３，４も出力する。すなわち、時刻１０秒〜１２秒に無線パケット３，４，５を出力する。
【００３４】
ここで、無線パケット３，４，５の出力順を識別番号順（例えば送信順）とすれば、無線パケット３，４，５の順に出力される（図４、ＯＵＴ（１））。また、無線パケット３，４，５の出力順を入力順（蓄積時間が長い順）とすれば、無線パケット３，５，４の順に出力される（図４、ＯＵＴ（２））。なお、無線パケット５については、最初の入力時刻は７秒であるが、次の入力時刻１０秒を採用した場合には無線パケット３，４，５の順に出力される。また、無線パケット３，４，５を出力する際に、入力時刻５秒，８秒，７秒（または１０秒）に対応する時間差を設けて出力するようにしてもよい（図４、ＯＵＴ（３））。
【００３５】
本実施形態では、無線パケット信号の識別番号により、入力ポートＩＮ１，ＩＮ２から入力されて蓄積部２３に蓄積された無線パケット信号の蓄積履歴を確認し、すでに蓄積された無線パケット信号と同一の識別番号を有する無線パケット信号が重複して出力されないようにしている。また、一方の入力ポートに入力される無線パケット信号に欠落が生じても、他方の入力ポートにその識別番号を有する無線パケット信号が入力・蓄積されていれば、その後の無線パケット信号が出力される時点で一緒に出力ポートＯＵＴに出力させ、欠落を回避することができる。なお、複数の無線パケット信号を出力する際には、入力順（蓄積時間が長い順）と識別番号順（例えば送信順）のいずれかを選択することになる。
【００３６】
（第３の実施形態）
図５は、本発明の第３の実施形態の動作例を示す。なお、パケット選択出力装置の構成は図３に示すものと同様である。本実施形態では、図４の出力ポートＯＵＴ（３）  に示した入力時刻（蓄積時間）に対応する時間差を設けて出力するための制御例を示す。
【００３７】
時刻１秒で入力ポートＩＮ１に無線パケット１が入力されると、識別番号１が記録部２２に記録されていないので、識別番号１を記録部２２に記録するとともにその無線パケット１を蓄積部２３に蓄積する。時刻２秒で入力ポートＩＮ２に無線パケット１が入力されると、識別番号１が記録部２２にすでに記録されているので、蓄積部２３に蓄積されている無線パケット１を出力ポートＯＵＴから出力する。
【００３８】
次に、時刻３秒で入力ポートＩＮ１に入力される無線パケット２、時刻５秒で入力ポートＩＮ２に入力される無線パケット３、時刻７秒で入力ポートＩＮ２に入力される無線パケット４、時刻８秒で入力ポートＩＮ１に入力される無線パケット５についても同様に、それぞれ入力された時点で記録および蓄積される。次に、時刻９秒で入力ポートＩＮ２に無線パケット５が入力されると、識別番号５が記録部２２にすでに記録されているので、蓄積部２３に蓄積されている無線パケット５を出力ポートＯＵＴから出力するが、このとき、蓄積部２３に蓄積されている他の無線パケット２，３，４も出力する。
【００３９】
ここで、入力ポートＩＮ１，ＩＮ２に入力された無線パケット５の時間差１秒を揃えるために、例えば入力ポートＩＮ２に入力された無線パケット３，４，５の入力時刻をそれぞれ１秒繰り上げる。これにより、無線パケット２，３，４，５の入力時刻は３秒，４秒，６秒，８秒となり、時刻９秒からその時間間隔で出力ポートＯＵＴに出力する。
【００４０】
本実施形態では、入力ポートＩＮ１，ＩＮ２に入力された同一の識別番号を有する無線パケット信号の入力時刻の時間差に応じて、一方の入力ポートに蓄積されている無線パケット信号の到着時刻をその時間差分だけ調整することにより、各入力ポート蓄積されている無線パケット信号ができるだけ均一に出力されるようにしている。
【００４１】
（第４の実施形態）
図６は、本発明の第４の実施形態の動作例を示す。なお、パケット選択出力装置の構成は図３に示すものと同様である。本実施形態の特徴は、出力制御部２１で蓄積部２３における蓄積時間を計測し、同じ識別番号を有する無線パケット信号が入力せず、蓄積部における蓄積時間が所定時間（本実施形態では５秒）経過したときに、自動的に出力するようにしたものである。ただし、記録部２２に蓄積／出力記録を残すことにより、第１の実施形態と同様に出力後に到着した同一の識別番号を有する無線パケット信号を廃棄する。
【００４２】
図６において、１ｓ〜１２ｓは時刻１秒〜１２秒を示す。１〜５は無線パケット信号の識別番号を示し、無線パケット１〜無線パケット５と表記する。ここでの識別番号は送信順に対応して昇順になっているが、降順でもよく、あるいは送信順とは無関係であってもよい。
【００４３】
時刻１秒で、入力ポートＩＮ１に無線パケット１が入力されると、識別番号１が記録部２２に記録されていないので、識別番号１を記録部２２に記録するとともに蓄積部２３にその無線パケット１を蓄積する。時刻２秒で入力ポートＩＮ１に無線パケット２が入力されると、同様に識別番号２が記録部２２に記録され、無線パケット２が蓄積部２３に蓄積される。
【００４４】
時刻３秒で入力ポートＩＮ１に無線パケット３が入力され、入力ポートＩＮ２に無線パケット１が入力されると、識別番号３が記録部２２に記録され、無線パケット３が蓄積部２３に蓄積されるとともに、識別番号１が記録部２２にすでに記録されているので、蓄積部２３に蓄積されている無線パケット１を出力ポートＯＵＴから出力する。時刻４秒で入力ポートＩＮ２に無線パケット２が入力されると、識別番号２が記録部２２にすでに記録されているので、蓄積部２３に蓄積されている無線パケット２を出力ポートＯＵＴから出力する。次に、時刻６秒で入力ポートＩＮ２に無線パケット４が入力され、時刻７秒で入力ポートＩＮ１に無線パケット５が入力されると、それぞれのタイミングで識別番号４，５の記録および無線パケット４，５の蓄積が行われる。
【００４５】
時刻８秒になると、蓄積部２３に蓄積されている無線パケット３の蓄積時間が５秒になるので、無線パケット３を出力ポートＯＵＴから出力する。同様に、時刻１１秒、１２秒になった時点で、無線パケット４，５が出力ポートＯＵＴから出力される。なお、ここでの無線パケット３，４，５の出力順は入力順になり、必ずしも識別番号順（例えば送信順）になるとは限らない。
【００４６】
本実施形態では、第２の実施形態と同様に同一の識別番号を有する無線パケット信号が重複して出力されないようにするとともに、一方の入力ポートに入力される無線パケット信号に欠落が生じても、他方の入力ポートに入力して蓄積されてから所定時間経過後に自動的に出力することにより、欠落を回避することができる。
【００４７】
（第５の実施形態）
図７は、本発明の第５の実施形態の動作例を示す。なお、パケット選択出力装置の構成は図３に示すものと同様である。本実施形態の特徴は、出力制御部２１で蓄積部２３における蓄積量を計測し、同じ識別番号を有する無線パケット信号が到着せず、蓄積部における蓄積数が所定数（本実施形態では３個）に達したときに、蓄積されているすべての無線パケット信号を自動的に出力するようにしたものである。ただし、記録部２２に蓄積／出力記録を残すことにより、第１の実施形態と同様に出力後に到着した同一の識別番号の無線パケット信号を廃棄する。
【００４８】
図７において、１ｓ〜１２ｓは時刻１秒〜１２秒を示す。１〜５は無線パケット信号の識別番号を示し、無線パケット１〜無線パケット５と表記する。ここでの識別番号は送信順に対応して昇順になっているが、降順でもよく、あるいは送信順とは無関係であってもよい。
【００４９】
時刻１秒〜６秒までは第４の実施形態と同様であり、無線パケット１，２は時刻３秒、４秒で出力され、無線パケット３は時刻３秒に蓄積され、無線パケット４は時刻６秒に蓄積される。
【００５０】
次に、時刻７秒で入力ポートＩＮ１に無線パケット５が入力されると、識別番号５の記録および無線パケット５の蓄積が行われるが、ここで蓄積部２３の蓄積数が３個に達するので、その無線パケット３，４，５を時刻７秒から順次出力する。なお、ここでは無線パケット３，４，５の出力順は入力順（蓄積時間が長い順）あるいは識別番号順（例えば送信順）のいずれかで出力することができる。
【００５１】
本実施形態では、第２の実施形態と同様に同一の識別番号を有する無線パケット信号が重複して出力されないようにするとともに、一方の入力ポートに入力される無線パケット信号に欠落が生じても、他方の入力ポートに入力して蓄積されてから蓄積数が所定数に達した時点で自動的に出力することにより、欠落を回避することができる。
【００５２】
（第６の実施形態）
図８は、本発明の第６の実施形態の動作例を示す。なお、パケット選択出力装置の構成は図３に示すものと同様である。本実施形態の特徴は、出力ポートＯＵＴからの出力時間間隔が一定時間（本実施形態では２秒）になるように調整するところにある。
【００５３】
図８において、１ｓ〜１４ｓは時刻１秒〜１４秒を示す。１〜５は無線パケット信号の識別番号を示し、無線パケット１〜無線パケット５と表記する。ここでの識別番号は送信順に対応して昇順になっているが、降順でもよく、あるいは送信順とは無関係であってもよい。
【００５４】
時刻１秒〜３秒までは第４，第５の実施形態と同様であり、時刻３秒で無線パケット１は出力され、無線パケット３は蓄積される。次に、時刻４秒で入力ポートＩＮ２に無線パケット２が入力されると、識別番号２が記録部２２にすでに記録されているので、蓄積部２３に蓄積されている無線パケット２を出力ポートＯＵＴから出力するが、このとき、出力時間間隔を２秒にするために無線パケット２は時刻５秒に出力する。
【００５５】
次に、時刻６秒で入力ポートＩＮ１に入力される無線パケット４、時刻８秒で入力ポートＩＮ２に入力される無線パケット５についても同様に、それぞれ入力された時点で記録および蓄積される。
【００５６】
次に、時刻９秒で入力ポートＩＮ１に無線パケット５が入力されると、識別番号５が記録部２２にすでに記録されているので、蓄積部２３に蓄積されている無線パケット５を出力ポートＯＵＴから出力するが、このとき、蓄積部２３に蓄積されている他の無線パケット３，４も２秒間隔で出力する。なお、ここでは無線パケット３，４，５の出力順は入力順（蓄積時間が長い順）あるいは識別番号順（例えば送信順）のいずれかで出力することができる。
【００５７】
本実施形態では、第２の実施形態と同様に同一の識別番号を有する無線パケット信号が重複して出力されないようにするとともに、欠落を回避することができる。さらに、無線パケット信号が連続出力される場合の出力時間間隔を一定にすることができる。
【００５８】
（第７の実施形態）
図９は、本発明の第７の実施形態の動作例を示す。なお、パケット選択出力装置の構成は図３に示すものと同様である。本実施形態の特徴は、出力ポートＯＵＴの出力速度を一定にするものであり、ここでは入力する無線パケット信号のサイズがすべて  １００ビットであるときに、出力ポートＯＵＴからの出力速度が５０ｂｉｔ／ｓ  になるように速度調整する。
【００５９】
図９において、１ｓ〜１４ｓは時刻１秒〜１４秒を示す。１〜５は無線パケット信号の識別番号を示し、無線パケット１〜無線パケット５と表記する。ここでの識別番号は送信順に対応して昇順になっているが、降順でもよく、あるいは送信順とは無関係であってもよい。
【００６０】
時刻１秒で、入力ポートＩＮ１に無線パケット１が入力されると、識別番号１が記録部２２に記録されていないので、識別番号１を記録部２２に記録するとともに蓄積部２３にその無線パケット１を蓄積する。時刻２秒で入力ポートＩＮ１に無線パケット２が入力されると、同様に識別番号２が記録部２２に記録され、無線パケット２が蓄積部２３に蓄積される。
【００６１】
時刻３秒で入力ポートＩＮ１に無線パケット３が入力され、入力ポートＩＮ２に無線パケット１が入力されると、識別番号３が記録部２２に記録され、無線パケット３が蓄積部２３に蓄積されるとともに、識別番号１が記録部２２にすでに記録されているので、蓄積部２３に蓄積されている無線パケット１を出力ポートＯＵＴから出力する。このとき、１００  ビットの無線パケット１を５０ｂｉｔ／ｓ  で出力するために、時刻３秒〜４秒で出力される。
【００６２】
次に、時刻４秒で入力ポートＩＮ２に無線パケット２が入力されると、識別番号２が記録部２２にすでに記録されているので、蓄積部２３に蓄積されている無線パケット２を出力ポートＯＵＴから出力するが、このとき、無線パケット１を出力中であるので無線パケット２は時刻５秒〜６秒に出力される。
【００６３】
次に、時刻６秒で入力ポートＩＮ１に無線パケット４が入力され、時刻８秒で入力ポートＩＮ２に無線パケット５が入力されると、それぞれのタイミングで識別番号４，５の記録および無線パケット４，５の蓄積が行われる。
【００６４】
次に、時刻９秒に入力ポートＩＮ１に無線パケット５が入力されると、識別番号５が記録部２２にすでに記録されているので、蓄積部２３に蓄積されている無線パケット５を出力ポートＯＵＴから出力するが、このとき、蓄積部２３に蓄積されている無線パケット３，４も出力する。ただし、出力速度が５０ｂｉｔ／ｓ  になるので、各無線パケット３，４，５は時刻９〜１０秒、１１〜１２秒、１３〜１４秒に出力される。
【００６５】
なお、ここでは無線パケット３，４，５の出力順は入力順（蓄積時間が長い順）あるいは識別番号順（例えば送信順）のいずれかで出力することができる。
【００６６】
本実施形態では、第２の実施形態と同様に同一の識別番号を有する無線パケット信号が重複して出力されないようにするとともに、欠落を回避することができる。さらに、無線パケット信号の出力速度を一定にすることができる。
【００６７】
（第８の実施形態）
図１０は、本発明の第８の実施形態の動作例を示す。なお、パケット選択出力装置の構成は図３に示すものと同様である。本実施形態の特徴は、出力ポートＯＵＴの出力速度を一定にするものであり、ここでは入力する無線パケット信号のサイズが  １００ビットあるいは  ６００ビットであるときに、出力ポートＯＵＴからの出力速度が２００ｂｉｔ／ｓになるように速度調整する。ただし、入力時間間隔または所定の出力時間間隔（本実施形態では２秒）の小さい方の時間間隔で出力しようとしたときに、所定の出力速度（本実施形態では２００ｂｉｔ／ｓ）で出力できる場合には、その小さい方の時間間隔で出力する。また、入力時間間隔または所定の出力時間間隔（本実施形態では２秒）の小さい方の時間間隔で出力しようとしたときに、所定の出力速度（本実施形態では２００ｂｉｔ／ｓ）で出力できない場合には、その出力速度で出力する。
【００６８】
図１０において、１ｓ〜１４ｓは時刻１秒〜１４秒を示す。１〜５は無線パケット信号の識別番号を示し、無線パケット１〜無線パケット５と表記する。ここでの識別番号は送信順に対応して昇順になっているが、降順でもよく、あるいは送信順とは無関係であってもよい。
【００６９】
時刻１秒で、入力ポートＩＮ１に  １００ビットの無線パケット１が入力されると、識別番号１が記録部２２に記録されていないので、識別番号１を記録部２２に記録するとともに蓄積部２３にその無線パケット１を蓄積する。次に、時刻２秒で入力ポートＩＮ１に入力される  １００ビットの無線パケット２、時刻４秒で入力ポートＩＮ２に入力される  １００ビットの無線パケット３についても同様に、それぞれ入力された時点で記録および蓄積される。
【００７０】
次に、時刻５秒で入力ポートＩＮ１に無線パケット３が入力されると、識別番号３が記録部２２にすでに記録されているので、蓄積部２３に蓄積されている無線パケット３を出力ポートＯＵＴから出力するが、このとき、蓄積部２３に蓄積されている他の無線パケット１，２も出力する。
【００７１】
ここで、無線パケット１，２の入力時間間隔は１秒と所定の出力時間間隔２秒より小さく、無線パケットのサイズは  １００ビットであるので、入力時間間隔の１秒間隔で出力することは可能である。したがって、無線パケット１，２は時刻５秒，６秒に出力される。また、無線パケット２，３の入力時間間隔は３秒と所定の出力時間間隔２秒より大きく、無線パケット２のサイズは  １００ビットであるので、無線パケット３は出力時間間隔２秒をとって時刻８秒に出力される。
【００７２】
次に、時刻８秒で入力ポートＩＮ１に入力される  ６００ビットの無線パケット４、時刻１０秒で入力ポートＩＮ２に入力される  ６００ビットの無線パケット５についても同様に、それぞれ入力された時点で記録および蓄積される。次に、時刻１１秒で入力ポートＩＮ１に無線パケット５が入力されると、識別番号５が記録部２２にすでに記録されているので、蓄積部２３に蓄積されている無線パケット５を出力ポートＯＵＴから出力するが、このとき、蓄積部２３に蓄積されている他の無線パケット４も出力する。
【００７３】
ここで、無線パケット４，５の入力時間間隔は３秒と所定の出力時間間隔２秒より大きいが、そのサイズはともに  ６００ビットであるので、出力速度２００ｂｉｔ／ｓで２秒間隔で出力することはできず、出力に３秒を要する。したがって、無線パケット４，５は時刻１１〜１３秒，１４〜１６秒に出力される。
【００７４】
本実施形態では、第２の実施形態と同様に同一の識別番号を有する無線パケット信号が重複して出力されないようにするとともに、欠落を回避することができる。さらに、無線パケット信号のサイズや入力時間間隔を考慮しながら、所定の出力速度および出力時間間隔の範囲で出力タイミングを調整することができる。
【００７５】
（第９の実施形態）
図１１は、本発明の第９の実施形態の構成例を示す。第１〜第８の実施形態のパケット選択出力装置は、１つの送信機（移動機）から送信された無線パケット信号を２つの受信機（無線基地局）で受信するときに、それぞれ受信された同一の無線パケット信号が重複せず、かつ欠落することなく出力する構成である。本実施形態は、送信機（移動機）に対する受信機（無線基地局）が３つ以上の場合に、以上示した実施形態のパケット選択出力装置の構成を変えずに対応できるようにしたものである。
【００７６】
図１１において、パケット選択出力装置３０は、図１に示すパケット選択出力装置１０または図３に示すパケット選択出力装置２０と同等のパケット選択出力部３１−１，３１−２を備える。パケット選択出力部３１−１は、２つの入力ポートＩＮ１−１，ＩＮ２−１と、１つの出力ポートＯＵＴ−１を有する。パケット選択出力部３１−２は、２つの入力ポートＩＮ１−２，ＩＮ２−２と、１つの出力ポートＯＵＴ−２を有する。パケット選択出力部３１−１の入力ポートＩＮ１−１，ＩＮ２−１には、パケット選択出力装置３０の入力ポートＩＮ１，ＩＮ２を介して受信機４０−１，４０−２が接続され、パケット選択出力部３１−２の入力ポートＩＮ１−２にはパケット選択出力部３１−１の出力ポートＯＵＴ−１が接続され、パケット選択出力部３１−２の入力ポートＩＮ２−２には、パケット選択出力装置３０の入力ポートＩＮ３を介して受信機４０−３が接続される。パケット選択出力部３１−２の出力ポートＯＵＴ−２には、パケット選択出力装置３０の出力ポートＯＵＴが接続される。
【００７７】
パケット選択出力部３１−１では、受信機４０−１，４０−２に受信された無線パケット信号について、上記の選択アルゴリズムに従って選択した無線パケット信号を出力ポートＯＵＴ−１に出力する。パケット選択出力部３１−２では、パケット選択出力部３１−１で選択された無線パケット信号と、受信機４０−３に受信された無線パケット信号について、上記の選択アルゴリズムに従って選択した無線パケット信号を出力ポートＯＵＴ−２に出力する。これにより、パケット選択出力装置３０の出力ポートＯＵＴには、受信機４０−１〜４０−３に受信される同一の識別番号を有する無線パケット信号を重複することなくかつ欠落することなく出力することができる。
【００７８】
（第１０の実施形態）
図１２は、本発明の第１０の実施形態の構成例を示す。第１〜第９の実施形態のパケット選択出力装置は、複数の受信機に受信する無線パケット信号の選択を行う構成である。本実施形態は、パケット選択出力装置を双方向の通信に適用させるためのものである。
【００７９】
図１２において、パケット選択出力装置３２は、図１に示すパケット選択出力装置１０または図３に示すパケット選択出力装置２０と同等のパケット選択出力部３３と、複製部３４を備える。パケット選択出力装置３２の入力ポートＩＮ１，ＩＮ２には、パケット選択出力部３３の入力ポートＩＮ１，ＩＮ２と、複製部３４の２つの出力ポートが接続される。パケット選択出力装置３２の出力ポートＯＵＴには、パケット選択出力部３３の出力ポートＯＵＴと、複製部３４の入力ポートが接続される。
【００８０】
パケット選択出力部３３では、通信装置４１−１，４１−２から入力ポートＩＮ１，ＩＮ２を介して入力する無線パケット信号について、上記の選択アルゴリズムに従って選択した無線パケット信号を出力ポートＯＵＴを介して通信装置４１−３に出力する。また、複製部３４では、通信装置４１−３から出力ポートＯＵＴを介して入力する無線パケット信号を複製し、入力ポートＩＮ１，ＩＮ２を介して通信装置４１−１，４１−２に出力する。これにより、通信装置４１−１，４１−２と通信装置４１−３との間で、本実施形態のパケット選択出力装置３２を介しての双方向通信を行うことができる。
【００８１】
【発明の効果】
以上説明したように、本発明のパケット選択出力装置は、複数の受信機に受信される同一の識別番号を有する無線パケット信号のうち、最初に受信した無線パケット信号を出力し、その後に受信した無線パケット信号を廃棄することにより、受信タイミングにジッタが発生しても、各識別番号の無線パケット信号を重複することなくかつ欠落することなく出力することができる（請求項１）。
【００８２】
本発明のパケット選択出力装置は、複数の受信機に受信される同一の識別番号を有する無線パケット信号のうち、最初に受信した無線パケット信号を蓄積し、その後に同一の識別番号を有する無線パケット信号が受信されたときに、その時点で蓄積されているすべての無線パケット信号を出力することにより、受信タイミングにジッタが発生しても、各識別番号の無線パケット信号を重複することなくかつ欠落することなく出力することができる（請求項２〜１０）。
【００８３】
さらに、蓄積されている複数の無線パケット信号を出力するときに、無線パケット信号の識別番号順に出力することにより、受信タイミングが前後しても送信順に並べかえて出力することができる（請求項３）。また、出力制御部への入力順（蓄積部の蓄積時間の長い順）に出力することができる（請求項４）。また、入力時間間隔で出力することにより、受信タイミングに応じた受信処理が可能になる（請求項５）。また、所定の蓄積時間が経過した無線パケット信号、あるいは所定の蓄積量に達した無線パケット信号を出力することにより、欠落を防ぐとともに、蓄積部の蓄積容量を削減することができる（請求項６〜７）。
【００８４】
さらに、蓄積されている無線パケット信号を出力するときに、所定の出力時間間隔になるように出力タイミングを制御したり、所定の出力速度になるように出力タイミングを制御したり、無線パケット信号のサイズや入力時間間隔を考慮しながら、所定の出力速度および出力時間間隔の範囲で出力タイミングを制御することにより、出力先の受信端末で無線パケット信号の受けこぼしが発生することを防ぐことができる（請求項８〜１０）。
【００８５】
また、本発明のパケット選択出力装置を多段に接続することにより、３以上の受信機に受信される無線パケット信号に対する処理が可能になる（請求項１１）。さらに、本発明のパケット選択出力装置とともに複製部を備えることにより、パケット選択出力装置を介しての双方向通信を行うことができる（請求項１２）。
【図面の簡単な説明】
【図１】第１の実施形態の構成例を示すブロック図。
【図２】第１の実施形態の動作例を示すタイムチャート。
【図３】第２の実施形態の構成例を示すブロック図。
【図４】第２の実施形態の動作例を示すタイムチャート。
【図５】第３の実施形態の動作例を示すタイムチャート。
【図６】第４の実施形態の動作例を示すタイムチャート。
【図７】第５の実施形態の動作例を示すタイムチャート。
【図８】第６の実施形態の動作例を示すタイムチャート。
【図９】第７の実施形態の動作例を示すタイムチャート。
【図１０】第８の実施形態の動作例を示すタイムチャート。
【図１１】第９の実施形態の構成例を示すブロック図。
【図１２】第１０の実施形態の構成例を示すブロック図。
【図１３】従来のパケット選択出力装置の構成例を示すブロック図。
【図１４】本発明のパケット選択出力装置を含むシステム構成例を示すブロック図。
【符号の説明】
１０，２０，３０，３２  パケット選択出力装置
１１，２１  出力制御部
１２，２２  記録部
２３  蓄積部
３１，３３  パケット選択出力部
３４  複製部
４０  受信機
４１  通信装置
５１  移動機
５２  無線基地局
５３  パケット選択出力装置
５４  信号記憶部
５５  判定器
６１  端末装置
６２  記録装置
６３  送信アンテナ
６４  通信衛星
６５  受信アンテナ
６６  受信機
【図１】
2004254014.tif 000003
【図２】
2004254014.tif 000004
【図３】
2004254014.tif 000005
【図４】
2004254014.tif 000006
【図５】
2004254014.tif 000007
【図６】
2004254014.tif 000008
【図７】
2004254014.tif 000009
【図８】
2004254014.tif 000010
【図９】
2004254014.tif 000011
【図１０】
2004254014.tif 000012
【図１１】
2004254014.tif 000013
【図１２】
2004254014.tif 000014
【図１３】
2004254014.tif 000015
【図１４】
2004254014.tif 000016